(57)【特許請求の範囲】
【請求項１】
交流電源を供給する電源供給手段に接続する接続手段と、
前記電源供給手段により供給された前記交流電源を直流電源に変換する電源ユニットと、
前記接続手段と前記電源ユニット間に設けられ、オン／オフ操作に応じて前記電源ユニットへの前記交流電源の供給／遮断を行う電源スイッチと、
前記電源スイッチのオン／オフ操作をモニタしてスイッチ監視信号を出力する電源スイッチ監視手段と、
前記電源ユニットへの前記交流電源の供給状態をモニタして電源監視信号を出力する電源監視手段と、
前記電源スイッチ監視手段から出力される前記スイッチ監視信号と前記電源監視手段から出力される前記電源監視信号の状態を判定する判定手段と、
前記判定手段による判定結果に応じて、前記電源スイッチの状態、画像処理装置が実行するジョブの状態を含む情報を不揮発性記憶媒体に記憶し、前記電源ユニットへの前記交流電源の供給が再開された場合に、前記不揮発性記憶媒体に記憶された前記情報に基づき、復帰時の動作を制御する制御手段と、を備え、
前記判定手段により、前記スイッチ監視信号の状態から前記電源スイッチがオフ状態であると判定された場合、前記制御手段は、前記電源スイッチの状態として前記電源スイッチがオフされた情報と前記画像処理装置が実行するジョブの状態として実行中のジョブ及び未実行のジョブの状態を前記不揮発性記憶媒体に記憶し、
前記判定手段により、前記スイッチ監視信号の状態から前記電源スイッチがオフ状態であると判定され、且つ前記電源監視信号の状態から前記交流電源の供給が遮断されていると判定された場合、前記制御手段は、前記画像処理装置が実行するジョブの状態として実行中のジョブ及び未実行のジョブの状態を前記不揮発性記憶媒体に記憶し、前記電源スイッチがオフされた情報を記憶しないことを特徴とする画像形成装置。
【請求項２】
前記制御手段は、前記電源ユニットへの前記交流電源の供給が再開された場合に、前記不揮発性記憶媒体に記憶された前記情報のうち前記電源スイッチの状態に基づいて前記電源スイッチがオフされたか否かを判定し、当該判定結果から復帰した後の操作画面の表示を変えることを特徴とする請求項１記載の画像形成装置。
【請求項３】
前記制御手段は、前記電源ユニットへの前記交流電源の供給が再開された場合に、前記不揮発性記憶媒体に記憶された前記情報のうち前記画像処理装置が実行するジョブの状態に基づいて実行中のジョブがあったか否かを判定し、当該判定結果から実行中であったジョブを再開させることを特徴とする請求項１または２記載の画像形成装置。
【請求項４】
前記制御手段は、前記電源ユニットへの前記交流電源の供給が遮断される前のジョブの種類を前記不揮発性記憶媒体に記憶することを特徴とする請求項１乃至３のいずれか１項に記載の画像形成装置。
【請求項５】
前記制御手段は、前記電源ユニットへの前記交流電源の供給が遮断される前のジョブの内容を前記不揮発性記憶媒体に記憶することを特徴とする請求項１乃至３のいずれか１項に記載の画像形成装置。
【請求項６】
前記制御手段は、前記電源ユニットへの前記交流電源の供給が遮断される前の調整動作、操作に関する情報を前記不揮発性記憶媒体に記憶することを特徴とする請求項１乃至３のいずれか１項に記載の画像形成装置。
【発明の詳細な説明】
【技術分野】
【０００１】
本発明は、画像形成装置に関し、特に、文章の印刷・蓄積を同時に行う機能を備える画像形成装置に関する。
【背景技術】
【０００２】
画像形成装置の電源が遮断されてから、動作の中枢を担うＣＰＵが搭載されたコントローラへの電源供給が遮断される迄に所定の時間がかかる。そのため、電源の遮断を検知して、実行中の文章・蓄積データや画像形成装置の状態を保持し、次回、電源が投入された際にそれらのデータを再度印刷したり、若しくは破棄することが可能な画像形成装置が提案されている（例えば、特許文献１参照）。
【０００３】
ここで、電源が遮断されるケースとしては、停電、漏電等、ユーザーが意図しないタイミングで発生する場合と、ユーザーがＡＣ電源の供給を遮断させるための電源スイッチを操作する場合が考えられる。
【特許文献１】特開２００７−１６８３３１号公報
【発明の開示】
【発明が解決しようとする課題】
【０００４】
一方、正式なシャットダウンシーケンスを経ないで、例えば、印刷中や、調整中等のタイミングで電源が遮断されることは、画像形成装置にダメージを残す（蓄積する）恐れがあるため、好ましくないことが知られている。
【０００５】
しかしながら、従来の技術では、電源の遮断に際し、画像形成装置に入力（転送）されたデータのみに着目しているため、データは保護されるが装置自体の保護には繋がらない。
【０００６】
本発明の目的は、電源の遮断の状況に応じて、復帰時の動作を制御することによりユーザーの負荷、本体の負荷を軽減することができる画像形成装置を提供することにある。
【課題を解決するための手段】
【０００７】
上記目的を達成するために、請求項１記載の画像形成装置は、交流電源を供給する電源供給手段に接続する接続手段と、前記電源供給手段により供給された前記交流電源を直流電源に変換する電源ユニットと、前記接続手段と前記電源ユニット間に設けられ、オン／オフ操作に応じて前記電源ユニットへの前記交流電源の供給／遮断を行う電源スイッチと、前記電源スイッチのオン／オフ操作をモニタしてスイッチ監視信号を出力する電源スイッチ監視手段と、前記電源ユニットへの前記交流電源の供給状態をモニタして電源監視信号を出力する電源監視手段と、前記電源スイッチ監視手段から出力される前記スイッチ監視信号と前記電源監視手段から出力される前記電源監視信号の状態を判定する判定手段と、前記判定手段による判定結果に応じて、前記電源スイッチの状態、画像処理装置が実行するジョブの状態を含む情報を不揮発性記憶媒体に記憶し、前記電源ユニットへの前記交流電源の供給が再開された場合に、前記不揮発性記憶媒体に記憶された前記情報に基づき、復帰時の動作を制御する制御手段と、を備え、前記判定手段により、前記スイッチ監視信号の状態から前記電源スイッチがオフ状態であると判定された場合、前記制御手段は、前記電源スイッチの状態として前記電源スイッチがオフされた情報と前記画像処理装置が実行するジョブの状態として実行中のジョブ及び未実行のジョブの状態を前記不揮発性記憶媒体に記憶し、前記判定手段により、前記スイッチ監視信号の状態から前記電源スイッチがオフ状態であると判定され、且つ前記電源監視信号の状態から前記交流電源の供給が遮断されていると判定された場合、前記制御手段は、前記画像処理装置が実行するジョブの状態として実行中のジョブ及び未実行のジョブの状態を前記不揮発性記憶媒体に記憶し、前記電源スイッチがオフされた情報を記憶しないことを特徴とする。
【発明の効果】
【０００８】
本発明の画像形成装置によれば、電源の遮断の状況に応じて、復帰時の動作を制御することによりユーザーの負荷、本体の負荷を軽減することができる。
【発明を実施するための最良の形態】
【０００９】
以下、本発明の実施の形態を図面を参照しながら詳細に説明する。
【００１０】
図１は、本発明の実施の形態に係る画像形成装置の概略構成図である。
【００１１】
本実施の形態の画像形成装置は、複数の画像形成部を並列に配し、且つ中間転写方式を採用したカラー複写機である。
【００１２】
本実施の形態において、画像形成装置は、画像読取部１Ｒと、画像出力部１Ｐとを備える。
【００１３】
以下、その構成を動作と併せて説明する。
【００１４】
画像読取部１Ｒは、原稿画像を光学的に読み取り、電気信号に変換して画像出力部１Ｐに送信する。画像出力部１Ｐは、複数の、本実施の形態では４つ並設された画像形成部１０（１０ａ、１０ｂ、１０ｃ、１０ｄ）と、給紙ユニット２０と、中間転写ユニット３０と、定着ユニット４０と、クリーニングユニット５０と、フォトセンサ６０とを有する。
【００１５】
更に、個々のユニットについて詳しく説明する。
【００１６】
各画像形成部１０は同じ構成とされ、各画像形成部１０では、第一の像担持体としてのドラム状の電子写真感光体、即ち、感光体ドラム１１（１１ａ、１１ｂ、１１ｃ、１１ｄ）が回転自在に軸支され、矢印方向に回転駆動される。
【００１７】
感光体ドラム１１ａ〜１１ｄの外周面に対向してその回転方向に、一次帯電器１２（１２ａ、１２ｂ、１２ｃ、１２ｄ）、光学系１３（１３ａ、１３ｂ、１３ｃ、１３ｄ）、折り返しミラー１６（１６ａ、１６ｂ、１６ｃ、１６ｄ）が配置されている。
【００１８】
また、感光体ドラム１１ａ〜１１ｄの外周面に対向してその回転方向に、現像装置１４（１４ａ、１４ｂ、１４ｃ、１４ｄ）、及びクリーニング装置１５（１５ａ、１５ｂ、１５ｃ、１５ｄ）が配置されている。
【００１９】
一次帯電器１２ａ〜１２ｄにおいて、感光体ドラム１１ａ〜１１ｄの表面に均一な帯電量の電荷を与える。次いで、光学系１３ａ〜１３ｄにより、画像読取部１Ｒからの記録画像信号に応じて変調した、例えばレーザビーム等の光線を、折り返しミラー１６ａ〜１６ｄを介して感光体ドラム１１ａ〜１１ｄ上に露光することによって、そこに静電潜像を形成する。
【００２０】
更に、イエロー、シアン、マゼンタ、ブラックといった４色の現像剤（以下、「トナー」という。）をそれぞれ収納した現像装置１４ａ〜１４ｄによって、上記静電潜像を顕像化する。
【００２１】
顕像化された可視画像を、一次転写領域Ｔａ、Ｔｂ、Ｔｃ、Ｔｄにて中間転写ユニット３０を構成する第二の像担持体としてのベルト状の中間転写体、即ち、中間転写ベルト３１に転写する。中間転写ユニット３０については、後で詳述する。
【００２２】
一次転写領域Ｔａ、Ｔｂ、Ｔｃ、Ｔｄの下流側では、クリーニング装置１５ａ、１５ｂ、１５ｃ、１５ｄにより、中間転写ベルト３１に転写されずに感光体ドラム１１ａ〜１１ｄ上に残されたトナーを掻き落としてドラム表面の清掃を行う。
【００２３】
以上に示したプロセスにより、各トナーによる画像形成が順次行われる。
【００２４】
給紙ユニット２０は、用紙Ｐを収納するための給紙段２１と、給紙段２１より用紙Ｐを１枚ずつ送り出すためのピックアップローラ２２と、ピックアップローラ２２から送り出された用紙Ｐを更に搬送するための給紙ローラ対２３とを有する。
【００２５】
また、給紙ユニット２０は、給紙ガイド２４と、各画像形成部の画像形成タイミングに合わせて用紙Ｐを二次転写領域Ｔｅへ送り出すためのレジストローラ２５とを有する。
【００２６】
中間転写ユニット３０について詳細に説明する。
【００２７】
中間転写ベルト３１は、中間転写ベルト３１に駆動を伝達する駆動ローラ３２と、中間転写ベルト３１の回動に従動する従動ローラ３３と、二次転写対向ローラ３４との間に張設巻回されている。
【００２８】
従動ローラ３３は、ばね（図示せず）の付勢によって中間転写ベルト３１に適度なテンションを与えるテンションローラとして機能する。また、駆動ローラ３２と従動ローラ３３の間に一次転写平面Ａが形成される。
【００２９】
中間転写ベルト３１としては、例えば、ＰＥＴ（ポリエチレンテレフタレート）、ＰＶｄＦ（ポリフッ化ビニリデン）等が用いられる。駆動ローラ３２は、金属ローラの表面に数ｍｍ厚のゴム（ウレタンまたはクロロプレン）をコーティングしてベルトとのスリップを防いでいる。駆動ローラ３２は、パルスモータ等の駆動手段（不図示）によって回転駆動される。
【００３０】
各感光体ドラム１１ａ〜１１ｄと中間転写ベルト３１が対向する一次転写領域Ｔａ〜Ｔｄには、中間転写ベルト３１の裏に一次転写用帯電器３５（３５ａ〜３５ｄ）が配置されている。一方、二次転写対向ローラ３４に対向して二次転写ローラ３６が配置され、中間転写ベルト３１とのニップによって二次転写領域Ｔｅを形成する。二次転写ローラ３６は、中間転写ベルト３１に対して適度な圧力で加圧されている。
【００３１】
また、中間転写ベルト３１の二次転写領域Ｔｅの下流には、中間転写ベルト３１の画像形成面をクリーニングするためのクリーニングユニット５０が配置される。クリーニングユニット５０は、中間転写ベルト３１上のトナーを除去するためのクリーニングブレード５１と、廃トナーを収納する廃トナーボックス５２とを備えている。
【００３２】
定着ユニット４０は、内部にハロゲンヒータ等の熱源を備えた定着ローラ４１ａと、そのローラに加圧される加圧ローラ４１ｂ（このローラにも熱源を備える場合もある）とを有する。
【００３３】
また、定着ユニット４０は、定着ローラ４１ａと加圧ローラ４１ｂのニップ部へ用紙Ｐを導くためのガイド４３、定着ユニットの熱を内部に閉じ込めるための定着断熱カバー８０を有する。更に、定着ユニット４０は、定着ローラ４１ａと加圧ローラ４１ｂのニップ部から排出されてきた用紙Ｐを装置外部に導き出すための内排紙ローラ４４を有する。
【００３４】
定着ユニット４０の下流側には、縦パスローラ４５ａ、４５ｂ、外排紙ローラ４６、及び、用紙Ｐを積載する排紙トレイ４７等を備えている。
【００３５】
縦パスローラ４５ａ、４５ｂ近傍には、用紙Ｐを冷却するための縦パスファン４９ａが配置されており、また排紙トレイ４７上の用紙Ｐを冷却するためにファン４９ｂが配置されている。
【００３６】
次に、上記構成の画像形成装置の動作について説明する。
【００３７】
後述するＣＰＵにより画像形成（印刷）動作開始信号が発せられると、選択された用紙サイズ等により選択された給紙段から給紙動作を開始する。
【００３８】
例えば、給紙段２１から給紙された場合について説明すると、図１にて、先ず、ピックアップローラ２２により、給紙段２１から用紙Ｐが１枚ずつ送り出される。そして、給紙ローラ対２３によって用紙Ｐが給紙ガイド２４を案内されてレジストローラ２５迄搬送される。
【００３９】
その時、レジストローラ２５は停止されており、用紙Ｐの先端はニップ部に突き当たる。その後、画像形成部１０が画像の形成を開始するタイミングに合わせてレジストローラ２５は回転を始める。
【００４０】
この回転時期は、用紙Ｐと、画像形成部１０より中間転写ベルト３１上に一次転写されたトナー画像とが二次転写領域Ｔｅにおいて一致するようにそのタイミングが設定されている。
【００４１】
一方、画像形成部１０では、画像形成動作開始信号が発せられると、以下のようにして感光体ドラム１１上のトナー画像が中間転写ベルト３１に一次転写される。
【００４２】
即ち、前述したプロセスにより中間転写ベルト３１の回転方向において一番上流にある感光体ドラム１１ｄ上に形成されたトナー画像が、高電圧が印加された一次転写用帯電器３５ｄによって一次転写領域Ｔｄにおいて中間転写ベルト３１に一次転写される。
【００４３】
一次転写されたトナー画像は次の一次転写領域Ｔｃ迄搬送される。そこでは各画像形成部間をトナー画像が搬送される時間だけ遅延して画像形成が行われており、前トナー画像の上にレジストを合わせて、その次のトナー画像が転写される。
【００４４】
以下も同様の工程が繰り返され、結局４色のトナー画像が中間転写ベルト３１上において一次転写される。
【００４５】
その後、用紙Ｐが二次転写領域Ｔｅに進入し、中間転写ベルト３１に接触すると、用紙Ｐの通過タイミングに合わせて二次転写ローラ３６に高電圧を印加する。これにより、前述したプロセスにより中間転写ベルト３１上に形成された４色のトナー画像が用紙Ｐの表面に転写される。
【００４６】
その後、用紙Ｐは、ガイド４３によって定着ローラ４１ａと加圧ローラ４１ｂのニップ部迄正確に案内される。そして、定着ローラ４１ａと加圧ローラ４１ｂの熱及びニップの圧力によってトナー画像が用紙Ｐ表面に定着される。その後、用紙Ｐは、内排紙ローラ４４、縦パスローラ４５ａ、４５ｂ、外排紙ローラ４６により搬送されて機外に排出され、排紙トレイ４７に積載される。
【００４７】
次に、用紙Ｐに対して両面に画像を形成する場合における画像形成装置の動作を説明する。ここで、前述の動作と重複する点は説明を割愛する。
【００４８】
前述の動作同様、給紙段２１から給紙を行った場合を例に説明すると、給紙段２１から送り出された用紙Ｐは、前述した工程を経て定着ローラ４１ａ、加圧ローラ４１ｂにて一面目の画像が定着される。一面目の画像が定着された後、用紙Ｐは、内排紙ローラ４４、縦パスローラ４５ａ（用紙サイズによっては、縦パスローラ４５ｂ、外排紙ローラ４６）によって搬送される。
【００４９】
用紙Ｐの後端が分岐部７０を通過して所定距離進んだ後に、縦パスローラ４５ａ（用紙サイズによっては、縦パスローラ４５ｂ、排紙ローラ４６）は停止し、所定時間停止した後逆方向に用紙Ｐの搬送を始める。
【００５０】
用紙Ｐが定着ユニット４０に搬送されないように、分岐部７０には不図示のフラッパー等の仕組みを必要に応じて設ける。１面目が印刷された用紙Ｐは、両面給紙ガイド７１を通って搬送され、後述するＣＰＵにより給紙段２１から搬送された用紙Ｐと重複しないタイミングで給紙ガイド２４に再び搬送され、１面目同様に２面目（裏面）に画像形成が行われる。
【００５１】
用紙Ｐは、定着ユニット４０にて２面目のトナー画像が定着され、その後、内排紙ローラ４４、縦パスローラ４５ａ、４５ｂ、外排紙ローラ４６により搬送され、機外に排出され、排紙トレイ４７に積載される。
【００５２】
図２は、図１の画像形成装置における電源制御ブロックの構成図である。
【００５３】
図２に基づいて、電源の供給、遮断の検知について説明する。
【００５４】
交流電源１０１（例えば１００Ｖ）は、電源供給手段である挿抜可能なモジュラージャック１０９を介して電源ユニット１００に供給される。
【００５５】
電源ユニット１００に供給される交流電源１０１は、モジュラージャック１０９を抜いた時、若しくは、モジュラージャック１０９と電源ユニット１００間に設けられた電源スイッチ１０４のオフ操作により遮断される。
【００５６】
本実施の形態は、電源スイッチ１０４は、交流電源１０１の片極のみを切る構成となっているが、両極を切る形でも構わない。
【００５７】
電源ユニット１００内で、交流電源１０１は、整流、変圧され画像形成装置を動作させるのに必要な直流電源（ＤＣ電源）１０２（例えば、２４Ｖ、１２Ｖ、５Ｖ、３．３Ｖ等）を生成する。
【００５８】
電源ユニット１００には、同ユニットへの交流電源１０１の入力をモニタする電源監視手段である電源電圧監視回路１０３も備わっている。電源電圧監視回路１０３は、電源ユニット１００への電源供給が遮断されたことを検知し、電源監視信号であるＤＣＰ−ＲＥＤＹ信号１０５を変化させる。
【００５９】
本実施の形態では、ＤＣＰ−ＲＥＤＹ信号１０５は、Ｈ、Ｌの２値信号とし、Ｈの時は、電源ユニット１００へ交流電源１０１が供給されているとし、Ｌの時は、交流電源１０１の供給が遮断されているとする。
【００６０】
また、電源スイッチ１０４のオフ／オンを検知する技術として、例えば、図２に示すように、交流電源用の接点と、直流電源用の接点、計２つ以上の独立した接点が連動して動作するスイッチが知られている。
【００６１】
本実施の形態では、交流電源用の接点を電源スイッチ１０４、連動して動作する第２の接点を電源スイッチ監視手段である電源スイッチ監視スイッチ１１０として図示している。電源スイッチ監視スイッチ１１０は、電源スイッチ１０４のオン／オフ状態をモニタして、スイッチ監視信号であるＳＷ−ＯＮ信号１０６を生成する。
【００６２】
また、電源電圧監視回路１０３は、電源ユニット１００への交流電源の供給状態をモニタして電源監視信号を出力する。
【００６３】
本実施の形態では、ＳＷ−ＯＮ信号１０６は、Ｈ、Ｌの２値信号とし、Ｈの時は電源スイッチ１０４がオン状態（交流電源１０１を電源ユニット１００に供給可）とし、Ｌの時は、電源スイッチ１０４がオフ状態とする。
【００６４】
制御手段としての制御ユニット１１１は、ＣＰＵ１０７、不揮発性メモリ（不揮発性記憶媒体）１０８を有する。また、ＣＰＵ１０７には表示部１１２が接続されている。
【００６５】
図３は、図２の電源制御ブロックにおける停電時の各種信号の関係図、図４は、図２の電源制御ブロックにおける電源スイッチ操作時の各種信号の関係図である。
【００６６】
図３、図４を用いて、ＤＣＰ−ＲＥＤＹ信号１０５及び、ＳＷ−ＯＮ信号１０６の関係及び電源電圧監視回路１０３の一例を説明する。
【００６７】
図３、図４において、（ａ）は、モジュラージャック１０９での信号であり、停電等で交流電源１０１からの入力が無くなった時、モジュラージャック１０９が抜かれた時等に信号が無くなる。
【００６８】
（ｂ）は、ＳＷ−ＯＮ信号１０６で、直流電源１０２が無くなる若しくは電源スイッチ１０４がオフされ、電源スイッチ監視スイッチ１１０が連動してオフされた際にＬになる。
【００６９】
（ｃ）は、電源ユニット１００のへの交流電源入力である。
【００７０】
（ｄ）は、電源電圧監視回路１０３に使用されるゼロクロス信号で、電源ユニット１００に入力された交流信号が０Ｖをクロスするタイミングで生成される信号である。本実施の形態では、ゼロクロス信号は、Ｈ、Ｌの２値信号とし、信号幅は、例えば１００ｕｓ、Ｌ⇒Ｈに移行したタイミングでゼロクロスを検知とする。
【００７１】
（ｅ）は、電源電圧監視回路１０３より生成されたＤＣＰ−ＲＥＤＹ信号１０５で、信号の内容は前述の通りである。
【００７２】
（ｆ）は、電源ユニット１００内で生成される直流電源１０２の信号である。
【００７３】
図３は、停電等でモジュラージャック１０９への入力が遮断された場合の信号である。
【００７４】
ある時間Ｔ１でモジュラージャック１０９の入力が遮断されると、電源ユニット１００への交流電源の供給が停止する。それに伴い、（ｄ）のゼロクロス信号も同時に遮断される。
【００７５】
所定時間ＴＡ（例えば１００ｍｓ）ゼロクロス信号が入力されなかった場合、電源ユニット１００への交流の入力が遮断されたと判断し、（ｃ）のＤＣＰ−ＲＥＤＹ信号１０５をＬに落とす。
【００７６】
その後、所定時間ＴＢ（数百ｍｓ〜数ｓ）経った時点で、直流電源１０２の電圧が徐々に下がり始める（ｆ）。
【００７７】
一方、電源スイッチ１０４は、操作されていないためＳＷ−ＯＮ信号１０６はＨのままで直流電源１０２の電圧降下に合わせて信号レベルもアナログ的に下がっていく（ｂ）。
【００７８】
図４は、電源スイッチ１０４を操作して電源をオフさせた場合の信号である。
【００７９】
ある時間Ｔ２で、電源スイッチ１０４を操作すると、電源ユニット１００への供給が停止する。それに伴い（ｄ）のゼロクロス信号も同時に遮断される。所定時間ＴＡ（例えば１００ｍｓ）ゼロクロス信号が入力されなかった場合、電源ユニット１００への交流の入力が遮断されたと判断し、（ｅ）のＤＣＰ−ＲＥＤＹ信号１０５をＬに落とす。
【００８０】
その後、所定時間ＴＢ（数百ｍｓ〜数ｓ）経った時点で、直流電源１０２の電圧が徐々に下がり始める（ｆ）。
【００８１】
一方、電源スイッチ１０４が操作されているため、ＳＷ−ＯＮ信号１０６はＴ２にてＬになる。
【００８２】
本実施の形態では、電源電圧監視回路１０３を、ゼロクロス信号を用いて生成する例について説明したが、交流電源をモニタする手法や、場合によっては直流電源をモニタする手法でも代用することが可能である。
【００８３】
図５は、図２の電源制御ブロックによって実行される電源供給遮断検知処理の手順を示すフローチャートである。
【００８４】
本処理は、図２におけるＣＰＵ１０７の制御の下に実行される。
【００８５】
図５に基づいて、印刷、蓄積、調整等のジョブ中における、電源の供給が絶たれたときのシーケンスを説明する。
【００８６】
ジョブが始まったら、常に電源スイッチ１０４のオフ／オンをモニタする信号であるＳＷ−ＯＮ信号１０６をＣＰＵ１０７がモニタする（ステップＳ５０１）。
【００８７】
ＳＷ−ＯＮ信号１０６が「Ｈ」であるときは、電源スイッチ１０４はオン状態なので、ＣＰＵ１０７は、ＤＣＰ−ＲＥＤＹ信号１０５を検知する（ステップＳ５０２）。ＤＣＰ−ＲＥＤＹ信号１０５が「Ｈ」のときは、交流電源１０１が電源ユニット１００供給されている状態なので引き続きジョブを行う。
【００８８】
ＣＰＵ１０７は、ジョブが終ったかどうかを判断して（ステップＳ５０３）、ジョブが終っていない場合、再びＳＷ−ＯＮ信号１０６の判断（ステップＳ５０１）に戻り、全てのジョブが終了していた場合は、本処理を終了する。
【００８９】
ジョブ中に、ＳＷ−ＯＮ信号１０６が、「Ｌ」になった場合、ＣＰＵ１０７は、不揮発性メモリ１０８に、電源スイッチ１０４がオフされた情報を記憶し（ステップＳ５０４）、実行中のジョブ及び未実行のジョブの状態を保持する（ステップＳ５０５）。そして電源オフを待つ（ステップＳ５０６）。電源オフ（ステップＳ５０７）で、本処理を終了する。
【００９０】
ＳＷ−ＯＮ信号１０６がＬにならず、ＤＣＰ−ＲＥＤＹ信号１０５のみＬになった場合ＣＰＵ１０７は、不揮発性メモリ１０８に対し電源スイッチ１０４がオフになった情報を記憶せずに、実行中のジョブ及び未実行のジョブの状態を保持する（ステップＳ５０５）。そして、電源オフを待つ（ステップＳ５０６）。
【００９１】
電源の瞬断等、まれにＤＣＰ−ＲＥＤＹ信号１０５がＬになったにもかかわらず、最終的には電源がオフしない場合がある。その場合は、ＣＰＵ１０７は、不揮発性メモリ１０８内の、電源スイッチ１０４を操作してオフした旨の情報を削除し（ステップＳ５０８）ジョブを続ける。
【００９２】
図６は、図２の電源制御ブロックによって実行される電源再供給時の立ち上げ処理の手順を示すフローチャートである。
【００９３】
本処理は、図２におけるＣＰＵ１０７の制御の下に実行される。
【００９４】
画像形成装置の電源がオンされると、搬送経路（給紙ガイド２４等）内に用紙が残っていないかをＣＰＵ１０７が判断する（ステップＳ６０１）。搬送（印刷）途中で電源が遮断された場合、ジャムを起こした後に電源を遮断した場合等に、機内に用紙が残留する。
【００９５】
用紙が残っていた場合、ＣＰＵ１０７からの指令で、用紙を取り除く旨のメッセージを表示部１１２に表示し（ステップＳ６０２）、用紙が取り除かれると（ステップＳ６０３でＹＥＳ）、次のステップに進む。
【００９６】
搬送経路内の残留紙が無くなったら、次に、電源オフされた際に、実行中のジョブがあったかを不揮発性メモリ１０８の情報に基づきＣＰＵ１０７が判断する（ステップＳ６０４）。
【００９７】
実行中のジョブがない場合は、ＣＰＵ１０７の指令に基づき、各種調整等がレディになる迄に必要な動作を行い、レディ状態で本処理を終了する。
【００９８】
画像形成装置の電源がオフされた時に、実行中のジョブがあった場合、次に、その状態が電源スイッチ１０４の操作によるものかを判断するために、ＣＰＵ１０７は、電源スイッチ１０４のオフが行われたかの判断を行う。この判断は、不揮発性メモリ１０８の情報に基づいて行われる（ステップＳ６０５）。
【００９９】
電源スイッチ１０４のオフ操作が行われていなかった場合は、ＣＰＵ１０７の指令で、図７の操作画面を表示部１１２に表示する（ステップＳ６０６）。
【０１００】
図７では、画像形成装置がオフ／オンしたと考えられる原因、及びその頻度（例えば１週間に４回等）、履歴等の情報を不揮発性メモリ１０８の情報に基づき、表示できるようにしておく。更に、電源がオフする前のジョブが再開可能な状態であれば、印刷を中止する中止ボタン７０１と印刷を再開する再開ボタン７０２を表示する。
【０１０１】
停電等の予期しない停止等は、近くにオペレータがいない可能性があるので、設定により定められた所定時間何も操作されなかった場合は（ステップＳ６０７）、予め設定された動作（例えば、印刷の再開）等を実行するのが好ましい。
【０１０２】
所定時間内に表示部１１２に表示された再開ボタン７０２が選択された場合（ステップＳ６０８）、実行中であったジョブを再開する（ステップＳ６１１）。この際に、複数ジョブ残っている場合は、再開するジョブを選択する機能を持たせてもよい。
【０１０３】
ＣＰＵ１０７は、ジョブがすべて終了したかどうかを判断し（ステップＳ６１２）全てのジョブが終了したら、本処理を終了し、レディ状態に移行する。
【０１０４】
所定時間内に表示部１１２に表示された中止ボタン７０１が選択された場合（ステップＳ６０９）、実行中であったジョブを中止・破棄し、中止されたジョブの一覧を印刷し（ステップＳ６１０）、印刷が終ると、本処理を終了し、レディ状態に移行する。
【０１０５】
この図７はあくまで一例であり、例えば、下記のような複数オプションから、組み合わせることも可能である。
（１）電源供給遮断通知を、「表示する」／「表示しない」
（２）電源供給遮断レポートを、「印刷する」／「印刷しない」
（３）電源供給遮断後、「中止・再開を選択」／「ジョブを中止」／「ジョブを再開」
ジョブ中止レポートを、「印刷する」／「印刷しない」
次に、ステップＳ６０５にて電源スイッチ１０４のオフが行われた場合について説明を行う。
【０１０６】
ステップＳ６０５にて不揮発性メモリ１０８の情報に基づき、ＣＰＵ１０７により電源スイッチ１０４がオフされたと判断されると、図８の画面を表示部１１２に表示する（ステップＳ６１３）。
【０１０７】
図８では、動作中に電源スイッチ１０４をオフ／オンすると、画像形成装置にダメージを及ぼす可能性がある旨のメッセージ（警告）を表示部１１２に表示する。
【０１０８】
表示部１１２に表示されたヘルプボタン８０３が選択された場合（ステップＳ６１４）、ユーザーが電源スイッチ１０４を操作しオフさせた原因を、回避する方法をヘルプメニューとし表示できるようにしておく（ステップＳ６１５）。
【０１０９】
例えば、印刷中に停止したい場合や、強制的に電源をオフするための方法を提供する。これにより、次回からは同ユーザーは電源スイッチ１０４の操作を行わないで、適正な処理を行えるようになる。
【０１１０】
表示部１１２に表示された不図示のヘルプメニュー終了が選択されると（ステップＳ６１６）、また、図８の画面に戻る。
【０１１１】
図８の画面で所定時間操作がされない場合は（ステップＳ６１７）、実行中であったジョブを中止・破棄し、中止されたジョブの一覧をＣＰＵ１０７の操作に基づいて印刷し（ステップＳ６１０）、印刷が終ると、本処理を終了し、レディ状態に移行する。
【０１１２】
また、図８における表示部１１２に表示された中止ボタン８０１が選択された場合も同様に、実行中であったジョブを中止・破棄し、中止されたジョブの一覧を印刷し（ステップＳ６１０）、印刷が終ると、本処理を終了し、レディ状態に移行する。
【０１１３】
図８における表示部１１２に表示された再開ボタン８０２が選択された場合は（ステップＳ６１９）、実行中であったジョブを再開する（ステップＳ６１１）。この際に、複数ジョブ残っている場合は、再開するジョブを選択する機能を持たせてもよい。
【０１１４】
ジョブがすべて終了したかどうかをＣＰＵ１０７が判断し（ステップＳ６１２）、全てのジョブが終了したら、本処理を終了し、レディ状態に移行する。
【０１１５】
図６によるシーケンスにおいても、図５に示したように複数のオプションを設定により選択することが可能である。
【０１１６】
ここで、不揮発性メモリ１０８は、電源ユニット１００への交流電源の供給が遮断された要因が、電源スイッチ１０４の操作の有無によるものか否かの情報を記憶する。
【０１１７】
また、不揮発性メモリ１０８は、制御ユニット１１１への直流電源の入力が遮断される前のジョブの種類を記憶する。
【０１１８】
また、不揮発性メモリ１０８は、制御ユニット１１１への直流電源の入力が遮断される前のジョブの内容を記憶する。
【０１１９】
また、不揮発性メモリ１０８は、制御ユニット１１１への直流電源の入力が遮断される前の調整動作、操作に関する情報を記憶する。
【０１２０】
ここで説明したジョブは、印刷（コピー）、データ蓄積、ＳＥＮＤ（センド）、ＦＡＸ（ファクシミリ）、終了動作、各種調整等、画像形成装置の動作全般を含む。
【０１２１】
本実施の形態では、制御ユニット１１１への給電が再開された後の動作について説明した。以下のユニットは、更に下記の機能を有する。
【０１２２】
電源電圧監視回路１０３からの信号である、ＤＣＰ−ＲＥＤＹ信号１０５と、電源スイッチ１０４の状態を示すＳＷ−ＯＮ信号１０６の状態に変化があった時点での、時間、ジョブ、温度等の要因を逐次不揮発性メモリ１０８に記憶する。
【０１２３】
それらの情報は、例えば、不図示の通信手段や、定期的な点検の際に収集される。この収集された情報により、停電等の状況や電源スイッチ１０４のオフ／オンの使われ方を確認し、実際に画像形成装置を使用、管理する人に適切なアドイスを与えることができ、これにより適切な点検を行うことが可能となる。
【図面の簡単な説明】
【０１２４】
【図１】本発明の実施の形態に係る画像形成装置の概略構成図である。
【図２】図１の画像形成装置における電源制御ブロックの構成図である。
【図３】図２の電源制御ブロックにおける停電時の各種信号の関係図である。
【図４】図２の電源制御ブロックにおける電源スイッチ操作時の各種信号の関係図である。
【図５】図２の電源制御ブロックによって実行される電源供給遮断検知処理の手順を示すフローチャートである。
【図６】図２の電源制御ブロックによって実行される電源再供給時の立ち上げ処理の手順を示すフローチャートである。
【図７】図２における表示部の第１の表示例を示す図である。
【図８】図２における表示部の第２の表示例を示す図である。
【符号の説明】
【０１２５】
１００  電源ユニット
１０２  直流電源
１０３  電源電圧監視回路
１０４  電源スイッチ
１０５  ＤＣＰ−ＲＥＤＹ信号
１０６  ＳＷ−ＯＮ信号
１０７  ＣＰＵ
１０８  不揮発性メモリ
１０９  モジュラージャック
１１０  電源スイッチ監視スイッチ
１１１  制御ユニット
１１２  表示部
【図１】
0005235475.tif 000002
【図２】
0005235475.tif 000003
【図３】
0005235475.tif 000004
【図４】
0005235475.tif 000005
【図５】
0005235475.tif 000006
【図６】
0005235475.tif 000007
【図７】
0005235475.tif 000008
【図８】
0005235475.tif 000009